(57)【要約】【課題】  本発明は、用紙束の積載位置をある一定の距離離れた場所に切り替えた場合でも用紙束の整合を確実に行える用紙整合装置を提供する。【解決手段】  本発明は、画像形成装置の後段に接続され、前記画像形成装置から送り出されてくる用紙が束状に積載される用紙積載部材と前記用紙積載部材に積載された用紙の両側から互いに接近離間可能な基準整合部材及び寄せ整合部材から構成され、前記用紙積載部材は上下方向に移動が可能、且つ前記整合部材も水平方向に移動が可能であり、前記基準整合部材は弾性部材で支持され、前記基準整合部材下端が接触する用紙束上面を押さえ付けていることを特徴とする。【選択図】図１
2005035765.tif 000002
【特許請求の範囲】
【請求項１】
画像形成装置の後段に接続され、前記画像形成装置から送り出されてくる用紙が束状に積載される用紙積載部材と前記用紙積載部材に積載された用紙の両側から互いに接近離間可能な基準整合部材及び寄せ整合部材から構成され、前記用紙積載部材は上下方向に移動が可能、且つ前記整合部材も水平方向に移動が可能であり、前記基準整合部材は弾性部材で支持され、前記基準整合部材下端が接触する用紙束上面を押さえ付けていることを特徴とする用紙整合装置。
【請求項２】
前記弾性部材は弾性力を持った板状の材料であることを特徴とする請求項１記載の用紙整合装置。
【請求項３】
前記弾性部材は圧縮コイルバネであることを特徴とする請求項１記載の用紙整合装置。
【発明の詳細な説明】
【技術分野】
【０００１】
本発明は、複写機、プリンタ、ファクシミリ及びこれらの複合機器等の画像形成装置に具備される用紙整合装置に関するものである。
【背景技術】
【０００２】
従来の用紙束整合装置を示す概略上面図を図２に、概略正面図を図６〜図９に、概略側面図を図４に示す。
【０００３】
図５、図６において、整合部材１ａはモータ、ベルト等の駆動手段２ａにより、用紙サイズ等により選択した基準位置に移動し、その後、図示は省略するが複写機、プリンタ等の画像形成装置により矢印７方向へ送り出された用紙を駆動手段２ｂにより整合部材１ｂを矢印方向に移動させ、１枚、あるいは複数枚づつ用紙を整合し、最初に用紙束３を積載する。
【０００４】
次に、同一ジョブにより複数部の出力を行う場合、または複数のジョブにより出力を行う場合、最初に出力した用紙束３と次に出力した用紙束を分ける場合は、最初の用紙束３を整合後、整合部材１ａ、１ｂを退避させ図７に示すように積載部材４をモータ、ベルト等の駆動手段（図示は省略する）により整合部材１ａ、１ｂ移動動作で用紙束３に干渉しない位置まで下降移動させ、その後駆動手段２ａ、２ｂにより整合部材１ａ、１ｂを矢印方向に移動する。この時、最初の用紙束３の整合時と異なり、整合部材１ｂが用紙サイズ等により選択した基準位置に移動し基準整合部材となり、整合部材１ａが寄せ部材となる。
【０００５】
その後、再び用紙積載部材４を上昇させ、図８に示すように最初の用紙束３と基準整合部材１ｂの下端と接するところで用紙積載部材４は停止し、整合部材１ａを矢印方向に移動させ１枚、あるいは複数枚毎に用紙を整合し、次の用紙束５の積載を用紙束３からある一定の距離離れた場所に積載する。複数部のジョブを積載する場合は、ジョブの順序に従い、用紙束の整合、積載を行う。
【発明の開示】
【発明が解決しようとする課題】
【０００６】
用紙束整合装置で同一ジョブにより複数部の出力を行う場合、または複数のジョブにより出力を行う場合、最初の用紙束３と次の用紙束を分ける場合、最初の用紙束３を整合後、最初の用紙束から一定の距離離れた位置に次の用紙束が積載される。ところが、図４に示すように最初の用紙束３上面は印刷によりカールが発生しているため、基準整合部材１ｂとの間に隙間８が発生する場合があり、最初の用紙束３から積載位置をある一定の距離離れた場所に切り替えた直後、画像形成装置から矢印７方向へ送り出された用紙が基準整合部材１ｂと最初の用紙束３上面との隙間８に入り込んで挟まれたり、場合によってはジャムにいたる。また、ジャムにならなかった場合でも図３９に示すように用紙束の整合時に、整合部材が用紙９を隙間８へ押し出し、用紙束の整合が乱れることがあった。
【０００７】
同様に第三、第四、第五… と用紙束の整合、積載を行った場合も用紙カールの影響を受け、送り込まれた用紙が基準整合部材１ｂと最初の用紙束３上面との隙間８に入り込んで挟まれたり、場合によってはジャムにいたり特に用紙束の整合が乱れる欠点があった。
【０００８】
本発明の目的は、上記従来の欠点を無くし、用紙束の積載位置をある一定の距離離れた場所に切り替えた場合でも用紙束の整合を確実に行なえる用紙整合装置を提供するものである。
【課題を解決するための手段】
【０００９】
上記目的は、同一ジョブにより複数部の出力を行う場合、または複数のジョブにより出力を行う場合、最初の用紙束と次の用紙束を分ける場合に、最初の用紙束が整合部材の移動で干渉しない位置まで用紙積載部材を下降移動し、基準及び寄せ整合部材を最初の用紙束よりある一定の距離離れた場所に移動させた後、用紙積載部材を最初の用紙束と基準整合部材の下端が接する位置まで上昇させたときに、最初の用紙束と基準整合部材との間に用紙カールの影響を受け隙間を発生させないように基準整合部材を弾性部材で支持し、用紙束上面を押し付けられる構成にすることにより達成される。
【発明の効果】
【００１０】
本発明によれば、ある一定の距離離れた場所に用紙束の切り替え積載可能な機構において用紙カールの影響を受けずに用紙束の整合が確実に行うことができる。
【発明を実施するための最良の形態】
【００１１】
図１〜図３は本発明による用紙整合装置の一実施例を示す夫々概略側面図である。以下本発明を、図６〜図８を引用しながら図１〜図３により説明する。
【実施例１】
【００１２】
図７に示す様に積載部材４をモータ、ベルト等の駆動手段（図示は省略する）により整合部材１ａ、１ｂ移動動作で用紙束に干渉しない位置まで下降移動させ、その後駆動手段２ａ、２ｂにより整合部材１ａ、１ｂを矢印方向に移動する。この時、第一の用紙束３の整合時と異なり、整合部材１ｂが用紙サイズ等により選択した基準位置に移動し基準整合部材となり、整合部材１ａが寄せ部材となる。
【００１３】
次に、再び用紙積載部材４を上昇させ、図６に示す様に第一の用紙束３と基準整合部材１ｂの下端と接するところで用紙積載部材４は停止し、整合部材１ａを矢印方向に移動させ１枚、あるいは複数枚毎に用紙を整合し、第二の用紙束５の積載を行う。複数部のジョブを積載する場合は第一、第二の用紙束の整合、積載と同様に第三、第四、第五… と用紙束の整合、積載を行う。
【００１４】
図１、図２に示すように、基準整合部材に弾性力を持った板状部材１０を設けている。弾性力を持った板状部材１０で支持された基準整合部材１ｂは下端が用紙束３上面と接触し、矢印１１に示すように垂直下方へ押さえ付けているため、基準整合部材１ｂと用紙束３上面の間の隙間８を無くすることが出来る。弾性力を持った板状部材１０が基準整合部材１ｂを支持するのは、図１の１点支持の他に図２の２点支持も有効な手段である。１点支持の方法としては図３に示すような圧縮コイルバネ１２を用いてもよい。
【００１５】
以上の機構を用いることにより図３(Ｃ)に示すように寄せ整合部材１ａが矢印方向に動作した場合でも用紙カールの影響を受けずに用紙束整合中のずれ等の乱れを防ぐことができる。
【図面の簡単な説明】
【００１６】
【図１】本発明用紙整合装置の一実施例を示す概略側面図。
【図２】本発明用紙整合装置の一実施例を示す概略側面図。
【図３】本発明用紙整合装置の一実施例を示す概略側面図。
【図４】従来の用紙整合装置を示す概略側面図。
【図５】従来の用紙整合装置を示す概略上面図。
【図６】従来の用紙整合装置の第一の用紙束の整合状態を示す正面図。
【図７】従来の用紙整合装置の第一の用紙束整合終了後の用紙積載部材、整合部材の移動動作を示す正面図。
【図８】従来の用紙整合装置の第一の用紙束からある一定距離離れた場所に第二の用紙束を整合、積載した状態を示す正面図。
【図９】従来の従来の用紙整合装置で第一の用紙束整合終了後の隙間を示す正面図。
【符号の説明】
【００１７】
１ａ、１ｂは整合部材、２ａ、２ｂは駆動手段、３は第一の用紙束、４は用紙積載部材、５は第二の用紙束、７は用紙搬送方向を示す矢印、８は基準整合部材と用紙束上面との間の隙間、９は用紙、１０は弾性力を持った板状部材、１１は垂直下方へ力が加わっていることを示す矢印、１２は圧縮コイルバネである。
【図１】
2005035765.tif 000003
【図２】
2005035765.tif 000004
【図３】
2005035765.tif 000005
【図４】
2005035765.tif 000006
【図５】
2005035765.tif 000007
【図６】
2005035765.tif 000008
【図７】
2005035765.tif 000009
【図８】
2005035765.tif 000010
【図９】
2005035765.tif 000011